(57)【要約】【課題】  ゴミ入りポリ袋のカラス等動物公害から守り、街の景観を損なうことを無くすために役立つ、ゴミ置き場とする。【解決手段】  板部材１でなるダストボックス又は枠部材２に被覆体３を取り付けたダストボックスにおいて、四角い周りを囲む板部材１又は被覆体３を上方から横軸に、下方へ中のゴミが可視不可能素材４、可視可能素材５、可視不可能素材４の順に複数組み合わせて用い、又、蓋板部材１ａ又は蓋被覆体３ａ及び底面板部材１ｂ又は底面被覆体３ｂには全面可視不可能素材４を使用する。【選択図】      図１
2006036371.tif 000002
【特許請求の範囲】
【請求項１】
板部材でなるダストボックス又は枠部材に被覆体を取り付けたダストボックスにおいて四角い周りを囲む板部材又は被覆体を上方から横軸に、下方へ中のゴミが可視不可能素材、可視可能素材、可視不可能素材の順に複数組み合わせて用い、又、蓋板部材又は蓋被覆体及び底面板部材又は底面被覆体には全面可視不可能素材を使用してなるゴミ置き場。
【請求項２】
前記枠部材に四角い周りを囲む底のない被覆体を取り付けたダストボックスにおいて、コの字型枠部材及びロの字型枠部材の両側面中央部をＸ字型に交差させ、交差部分を各々軸継手で止め、コの字型枠部材の前方下部両先端にキャスターを設け、ロの字型枠部材の後方枠下部左右両側に揺動機能を持つ固定金具を用いアンカーで固定し、四角い周りを囲む底のない被覆体上辺前後をコの字型枠部材及びロの字型枠部材の横軸上辺枠に取り付け、前記四角い周りを囲む底のない被覆体前後の下辺に重り用棒部材を施して下方へ垂れ下げ、開口上面には取手付開閉用棒部材を有する蓋被覆体を設け、その下面に開口時に前記蓋被覆体を支える複数の帯状保持部材を縦軸に取り付け、又、前記四角い周りを囲む底のない被覆体、蓋被覆体及び帯状保持部材とも折り畳み可能の素材を用い、更に前面両サイドの被覆体に縦に前面開口のファスナーを設けてなる請求項１記載のゴミ置き場。
【請求項３】
前記軸継手にバネ部材を施し、前記コの字型枠部材及びロの字型枠部材を互いに拡開する方向へ付勢し、又前記ロの字型枠部材の上部中央に取手止め具を設けてなる請求項２記載のゴミ置き場。
【請求項４】
前記枠部材に四角い周りを囲む底のない被覆体を取り付けたダストボックスにおいて、四角い周りを囲む底のない被覆体下辺を長くし、長くした下辺裾部分が地面に這うようにしてなる請求項２及び３記載のゴミ置き場。
【請求項５】
前記枠部材に四角い周りを囲む底のない被覆体を取り付けたダストボックスにおいて、地面に這うようにした前記下辺裾部分に縦に一定間隔で多数の切れ目を入れてなる請求項２乃至４記載のゴミ置き場。
【請求項６】
前記枠部材に四角い周りを囲む底のない被覆体を取り付けたダストボックスにおいて、四角い周りを囲む底のない被覆体の四方下部と前記コの字型枠部材及びロの字型枠部材の四方下部とを連結リングで結び、前記連結リングは枠部材の直径より大きいリングを用い、コの字型枠部材及びロの字型枠部材を軸継手を軸に拡開すると、リングが連結されている枠部材を伝って下へ、又コの字型枠部材及びロの字型枠部材を軸継手を軸に折り畳むとリングが連結されている枠部材を伝って上へ移動するようにしてなる請求項２乃至５記載のゴミ置き場。
【発明の詳細な説明】
【技術分野】
【０００１】
本発明は、家庭から排出されるゴミを所定場所に一時的に収集して置く為のゴミ置き場に関する。
【背景技術】
【０００２】
家庭用から排出される生ゴミや通常ゴミは、一般的に各家庭でポリエチレン製のゴミ収納袋に袋詰めされて、各町内ごとに決められた所定の日に所定の場所に集められ、これをゴミ回収車が来て持ち去るようになっている。
【０００３】
団地等ではその一角に団地内の家庭から排出されるゴミの為にゴミ置き場を設け、持ち込まれたゴミ入ポリ袋が散乱しないように管理しているが、個建てやアパート等、一般家庭から排出されるゴミ入ポリ袋は、ゴミ専用の公共のゴミ置き場が確保できないことから、ゴミ収集日に街路の片隅をゴミ置き場とし山積みにして集められている。
【０００４】
この為、ゴミ収集日の街の景観が損なわれるばかりでなく、カラスや野良猫が生ゴミを収納したゴミ袋を食い破って中身が路上に散乱し、悪臭や衛生問題の発生等、動物によるゴミ公害を引き起こしている。
【０００５】
これらの問題解決のため、これまで実用新案出願公開昭６３−１４８６０１、平４−４０００２、実開平４−１２１９０１、実開平５−５７０１、実開平５−３７７０１、実開平５−４２２０１、実開平７−１３８０１、特開平８−３１０６０１、及び登録実用新案第３０５６８０９号公報、特願２００２−０７５９３６、さらに特願２００２−３３６３８３等で、ゴミ箱やゴミ置き場の各種の提案がなされたが、いずれもカラスの被害を完全に防止できるものはなかった。
【発明の開示】
【発明が解決しようとする課題】
【０００６】
そこで本発明は、上記の問題に鑑みてなされたもので、ゴミ入ポリ袋の動物等によるゴミ散乱公害から守り、街の景観を損なうことを無くすために役立つ、ゴミ置き場とすることにある。
【課題を解決するための手段】
【０００７】
本発明は、上記の問題を解決するため、板部材でなるダストボックス又は枠部材に被覆体を取り付けたダストボックスにおいて、四角い周りを囲む板部材又は被覆体を上方から横軸に、下方へ中のゴミが可視不可能素材、可視可能素材、可視不可能素材の順に複数組み合わせて用い、又、蓋板部材又は蓋被覆体及び底面板部材又は底面被覆体には全面可視不可能素材を使用してなる。
【０００８】
又、前記枠部材に四角い周りを囲む底のない被覆体を取り付けたダストボックスにおいて、コの字型枠部材及びロの字型枠部材の両側面中央部をＸ字型に交差させ、交差部分を各々軸継手で止め、コの字型枠部材の前方下部両先端にキャスターを設け、ロの字型枠部材の後方枠下部左右両側に揺動機能を持つ固定金具を用いアンカーで固定し、四角い周りを囲む底のない被覆体上辺前後をコの字型枠部材及びロの字型枠部材の横軸上辺枠に取り付け、前記四角い周りを囲む底のない被覆体前後の下辺に重り用棒部材を施して下方へ垂れ下げ、開口上面には取手付開閉用棒部材を有する蓋被覆体を設け、その下面に開口時に前記蓋被覆体を支える複数の帯状保持部材を縦軸に取り付け、又、前記四角い周りを囲む底のない被覆体、蓋被覆体及び帯状保持部材とも折り畳み可能の素材を用い、更に前面両サイドの被覆体に縦に前面開口のファスナーを設けることができる。
【０００９】
又、前記軸継手にバネ部材を施し、前記コの字型枠部材及びロの字型枠部材を互いに拡開する方向へ付勢し、又前記ロの字型枠部材の上部中央に取手止め具を設けることができる。
【００１０】
又、前記枠部材に四角い周りを囲む底のない被覆体を取り付けたダストボックスにおいて、四角い周りを囲む底のない被覆体下辺を長くし、長くした下辺裾部分が地面に這うようにすることできる。
【００１１】
又、前記枠部材に四角い周りを囲む底のない被覆体を取り付けたダストボックスにおいて、地面に這うようにした前記下辺裾部分に縦に一定間隔で多数の切れ目を入れることができる。
【００１２】
更に、前記枠部材に四角い周りを囲む底のない被覆体を取り付けたダストボックスにおいて、四角い周りを囲む底のない被覆体の四方下部と前記コの字型枠部材及びロの字型枠部材の四方下部とを連結リングで結び、前記連結リングは枠部材の直径より大きいリングを用い、コの字型枠部材及びロの字型枠部材を軸継手を軸に拡開すると、リングが連結されている枠部材を伝って下へ、又コの字型枠部材及びロの字型枠部材を軸継手を軸に折り畳むとリングが連結されている枠部材を伝って上へ移動するようにすることもできる。
【発明の効果】
【００１３】
本発明は、以上説明したような形態で実施され、以下に記載されるような効果を奏する。視覚で行動するカラスの習性を上手く利用し、カラスが嘴で突つく部分を総べて可視不可能のシートでガードし、又四角い周りを囲む底のない被覆体を取り付けたダストボックスにおいては地面に触れる四角い周りを囲む底のない被覆体下辺裾部分を地面に這わせてカラスの進入を防ぎ、カラスの生ゴミ公害を完全に防止できるようにした。
【発明を実施するための最良の形態】
【００１４】
以下、本発明のゴミ置き場の実施の形態につき添付図面を参照しながら詳細に説明する。
【００１５】
図１及び図２は本発明におけるゴミ置き場について第１の実施の形態を示すものであり、板部材１でなるダストボックス又は枠部材２に被覆体３を取り付けたダストボックスにおいて、四角い周りを囲む板部材１（図１参照）又は被覆体３（図２参照）を上から横軸に、中のゴミが可視不可能素材４、可視可能素材５、可視不可能素材４の順に複数組み合わせて用い、又、蓋板部材１ａ又は蓋被覆体３ａ及び底面板部材１ｂ又は底面被覆体３ｂには全面可視不可能素材４を使用する。
【００１６】
前記板部材１でなるダストボックスの可視不可能素材４は、ステンレス板、スチール板、アルミニウム板、プラスチック板、木板等、又は板部材１の可視可能素材５はステンレス板、スチール板、アルミニウム板、プラスチック板、木板等をネット状に加工した部材６でなり、例えばステンレス板にはステンレス板をネット状に加工した部材６を用い、原則として板部材１とネット状に加工した部材６とは同一素材に統一する。
【００１７】
一方、被覆体３を取り付けたダストボックスの枠部材２にステンレスパイプ、スチールパイプ、アルミニウムパイプ、プラスチックパイプ等を使い、又その被覆体３の可視不可能素材４にはポリエステル等高分子合成繊維布地の両面をポリ塩化ビニールでラミネートしてなる帆布シートを用い、可視可能素材５にはナイロン、テトロン等高分子合成繊維製ネットを使用し、枠部材２への被覆体３の取り付けは帆布シート及びネットともナイロンロープを用い、そのさい帆布シートには鳩目７を施す。尚、スチール板とスチールパイプは錆止め塗料加工を施し、アルミニウム板とアルミニウムパイプはアルマイト加工したものが望ましい。
【００１８】
これは視覚で餌を見分けるカラスの習性を上手く利用したもので、例えば可視不可能素材４を用いる箇所は、カラスにゴミ入りポリ袋が突つかれ易い蓋被覆体３ａ全面と、四角い周りを囲む底のない被覆体８（縦の長さ９００ｍｍ程度）のうち上部１５０ｍｍ程度及び下部３００ｍｍ程度、又可視可能素材５を使用する部分はゴミ入りポリ袋が突つかれにくい中央部４５０ｍｍ程度とする。可視可能素材５は、ゴミ置き場内を目視でき、更に風通しをよくし、ゴミの悪臭を除去するために使用するもので、この第１実施例のゴミ置き場だとカラスの被害防止に極めて有効である。
【００１９】
図３、図４、図５及び図６は本発明におけるゴミ置き場について第２の実施の形態を示すものであり、前記枠部材２に四角い周りを囲む底のない被覆体８を取り付けたダストボックスにおいて、図４に示すようにパイプ枠でなるコの字型枠部材９及びロの字型枠部材１０の両側面中央部をＸ字型に交差させ、交差部分を各々軸継手１１で止め、コの字型枠部材９の前方下部両先端にキャスター１２を設け、ロの字型枠部材１０の後方枠下部左右両側に揺動機能を持つ固定金具１３を用いアンカー１４で固定し、四角い周りを囲む底のない被覆体８上部前後をナイロンロープでコの字型枠部材９及びロの字型枠部材１０の横軸上辺枠に取り付け、前記四角い周りを囲む底のない被覆体８前後の下辺に重り用棒部材１５を施して下方へ垂れ下げ、開口上面には取手付開閉用棒部材１５ａを有する蓋被覆体３ａを設け、その下面に開口時に前記蓋被覆体３ａを支える複数の帯状保持部材１６を縦軸に取り付け、又、前記四角い周りを囲む底のない被覆体８、蓋被覆体３ａ及び帯状保持部材１６とも折り畳み可能の素材を用い、更に前面両サイドの四角い周りを囲む底のない被覆体８に縦に前面開口のファスナー１７を施してなる。尚、前記重り用棒部材１５はカラスの進入防止にも役立つ。
【００２０】
このゴミ置き場は路上（舗道）の片隅に折り畳んだ状態で設置され（図３参照）、ロの字型枠部材１０の後方枠下部左右両端に揺動機能を有する固定金具１３を取り付け、アンカー１４を用いコンクリートの路面に穿設した固定用穴に差し込んで固定する。ゴミ置き場を形成する場合はロの字型枠部材１０の上辺を手前に引いて拡開し（図４参照）、ゴミ入りポリ袋１８を投入するには、前記取手付開閉用棒部材１５ａを手で後方（コの字型枠部材の上辺方向）へ移動させて蓋被覆体３ａを開け（図５参照）、又ゴミ収集は両側面のファスナー１７を開き、ロの字型枠部材１０の上辺を後へ押して折り畳むと山積みされたゴミ入りポリ袋１８がそのまま路上へ剥き出しとなり（図６参照）、ゴミ入りポリ袋１８を両手でわし掴みにして収集できる。尚アンカー１４は打ち込み式のオールアンカー（商品名）が最も望ましい。
【００２１】
第１実施例ゴミ置き場の大きさ及び第２実施例ゴミ置き場の拡開時におけるゴミ置き場の大きさは、例えば横幅がＳサイズＨ９００ｍｍ〜１０００ｍｍ×Ｗ１２００ｍｍ〜１４００ｍｍ×Ｄ７５０ｍｍ〜８５０ｍｍ、ＭサイズＨ９００ｍｍ〜１０００ｍｍ×Ｗ１４００ｍｍ〜１６００ｍｍ×Ｄ８５０ｍｍ〜９５０ｍｍ、ＬサイズＨ９００ｍｍ〜１０００ｍｍ×Ｗ１６００ｍｍ〜１８００ｍｍ×Ｄ９５０ｍｍ〜１０５０ｍｍ程度、又折り畳んだ状態のゴミ置き場の奥行は１５０ｍｍ程度とし、コの字型枠部材９及びロの字型枠部材１０に使用するパイプの直径は２０ｍｍ〜２８ｍｍ程度（肉厚１ｍｍ〜３ｍｍ程度）のものを使用する。被覆体３の帆布シートの肉厚は０.３ｍｍ〜０.５ｍｍ程度、ネットの太さは１.５ｍｍ程度、網目の大きさは縦・横２５ｍｍ程度のものがよい。尚、ゴミの出る量によってＳサイズ、Ｍサイズ、又はＬサイズを用い、ゴミが大量に出る地域ではＭサイズ又はＬサイズを２台並べて使用するなど、その地域によってサイズ及び台数を選択できる。
【００２２】
図７は本発明におけるゴミ置き場について第３の実施の形態を示すものであり、前記軸継手１１にバネ部材１９を施し、コの字型枠部材９及びロの字型枠部材１０を軸継手１１を軸にして拡開する方向へ付勢し、又前記ロの字型枠部材１０の上辺枠中央に取手付止め具２０を設け、ゴミ置き場を形成するさい、前記取手付止め具２０（図３参照）を外すとコの字型枠部材９及びロの字型枠部材１０が自動的に拡開されゴミ置き場が形成される。
【００２３】
尚、バネ部材１９の力が強すぎると、コの字型枠部材９及びロの字型枠部材１０が自動的に拡開するさい、危険を伴うので広げるのに程よい力のバネ部材１９を選び、コの字型枠部材９及びロの字型枠部材１０を折り畳むのには、ロの字型枠部材１０上辺枠を手で後方（コの字型上辺枠部材方向）へ押して折り畳む。軸継手１１及びバネ部材１９は丈夫で錆びないステンレス製にするとよい。
【００２４】
図８は本発明におけるゴミ置き場について第４の実施の形態を示すものであり、前記枠部材２に四角い周りを囲む底のない被覆体８を取り付けたダストボックスにおいて、四角い周りを囲む底のない被覆体８の下辺を１５０ｍｍ〜２００ｍｍ程度長くし、長くした四角い周りを囲む底のない被覆体８の下辺裾部分２１が地面を這い、カラスがゴミ置き場内に潜り込むのを防ぐことを目的としている。
【００２５】
図９は本発明におけるゴミ置き場について第５の実施の形態を示すものであり、前記枠部材２に四角い周りを囲む底のない被覆体８を取り付けたダストボックスにおいて、四角い周りを囲む底のない被覆体８の下辺裾部分２１に縦に５０ｍｍ程度一定間隔で切目２２を入れ、複数のカラスが力を合わせて嘴で裾を捲上げようとしてもゴミ入りポリ袋を引っ張り出すだけの長さの裾を捲上げられないようにしたものである。一応、四角い周りを囲む底のない被覆体８前後の下辺に施した重り用棒部材１５はカラスの侵入を防ぐが、第４実施例及び第５実施例では知能指数の高い相手（カラス）だけにより一層ガードを堅め、特に重り用棒部材１５がない左右両側下辺のカラスの侵入防止に役立たせる。
【００２６】
図１０及び図１１は本発明におけるゴミ置き場について第６の実施の形態を示すものであり、前記枠部材２に四角い周りを囲む底のない被覆体８を取り付けたダストボックスにおいて、四角い周りを囲む底のない被覆体８の四方下部に施してなる鳩目７と前記コの字型枠部材９及びロの字型枠部材１０とをナイロンロープでなる連結リング２３で結び、前記リングは枠部材の直径より大きいリングを用い、コの字型枠部材９及びロの字型枠部材１０を拡開するとリングが連結されている枠部材を伝って下へ（図１０参照）、又コの字型枠部材９及びロの字型枠部材１０を折り畳むとリングが連結されている枠部材を伝って上へ（図１１参照）移動する。従って拡開されゴミ置き場が形成されると四角い周りを囲む底のない被覆体８が連結リング２３を通し四方の枠部材に引っ張られ、確りとした四角い周りを囲む底のない被覆体８となる。
【産業上の利用可能性】
【００２７】
家庭から排出される生ゴミ問題の解決が大きな課題とされているだけに、街の環境改善、カラス公害対策等生ゴミ収集に役立つ本発明によるゴミ置き場は、十分住民の支持を得て商業ベースに乗るものとみられる。
【図面の簡単な説明】
【００２８】
【図１】本発明における第１の実施の形態における板部材を用いたゴミ置き場示す斜視図。
【図２】本発明における第１の実施の形態における枠材に被覆体を取り付けたゴミ置き場を示す斜視図。
【図３】本発明における第２の実施の形態でゴミ置き場を折り畳んだ状態を示す斜視図。
【図４】図３の実施の形態でゴミ置き場を拡開した状態を示す斜視図。
【図５】図３の実施の形態でゴミ置き場の開口蓋被覆体を開けた状態を示す斜視図。
【図６】図３の実施の形態でゴミ置き場を折り畳むことでゴミ入りポリ袋がそのまま路上へ剥き出しとなった状態を示す斜視図。
【図７】本発明における第３の実施の形態を示す拡大正面図。
【図８】本発明における第４の実施の形態を示す斜視図。
【図９】本発明における第５の実施の形態を示す斜視図。
【図１０】本発明における第６の実施の形態で連結リングが下に移動した状態を示す斜視図。
【図１１】図１０における連結リングが上に移動した状態を示す斜視図。
【符号の説明】
【００２９】
１  板部材，  １ａ  蓋板部材，  １ｂ  底面板部材，  ２  枠部材，  ３  被覆体，３ａ  蓋被覆体，  ３ｂ  底面被覆体，  ４  可視不可能素材，  ５  可視可能素材，  ６  ネット状に加工した部材，  ７  鳩目，  ８  四角い周りを囲む底のない被覆体，  ９  コの字型枠部材，  １０  ロの字型枠部材，  １１  軸継手，  １２  キャスター，１３  揺動機能を持つ固定金具，  １４  アンカー，  １５  重り用棒部材，  １５ａ  取手付開閉用棒部材，  １６  帯状保持部材，  １７  ファスナー，  １８  ゴミ入りポリ袋，  １９  バネ部材，  ２０  取手付止め具，  ２１  下辺裾部分，  ２２  切目，２３  連結リング
【図１】
2006036371.tif 000003
【図２】
2006036371.tif 000004
【図３】
2006036371.tif 000005
【図４】
2006036371.tif 000006
【図５】
2006036371.tif 000007
【図６】
2006036371.tif 000008
【図７】
2006036371.tif 000009
【図８】
2006036371.tif 000010
【図９】
2006036371.tif 000011
【図１０】
2006036371.tif 000012
【図１１】
2006036371.tif 000013